(57)【要約】本発明は、特に冷蔵家具ユニット用の改良されたプロフィルに関連する。そのものは、ドアと家具との間を密封しかつ様々な構成要素の自動組立を可能にできるベローズ型密封材を有する型式のものである。
2004538433.tif 000002
【特許請求の範囲】
【請求項１】
実質的に軟質のプラスチックから製造されかつドア（３０）と家具（３２）との間を密封するベローズ型密封部（２０）を有する、ドア（３０）と内側ドア（３１）とが設けられた冷蔵家具ユニット等のための実質的に剛性のプラスチックから製造されたプロフィル（１）であって、前記プロフィルおよび密封部が、共に接合されるか、あるいは異なる剛性を有する２つの材料の共押出によって製造される単一部品として一体化され、前記プロフィルが、２つの略水平のセクション、１つの上方セクション（２）と１つの下方セクション（４）とによってかつ略垂直または斜めのセクション（７）によって画定された略Ｃ字状の断面で形成された基部（３）を有し、前記セクションが、軟質材料から製造されかつ断面それ自体に共押出することによって形成されたエルボ型部品（８）の結果として弾性変形可能であり、したがって、前記エルボ型部品が、前記Ｃ字状断面それ自体の内側（１９）でスナップ係合によって前記内側ドア（３１）の縁部を受容するように、前記Ｃ字状断面の前記セクション（４）の弾性的張り出しを可能にするためのヒンジとして機能し、また前記Ｃ字状断面の外側および真下で、前記ドア（３０）の縁部にて密封材を形成するプロフィルにおいて、前記基部（３）の前記下方セクション（４）が、前記上方セクション（２）に向かって方向付けられた突出部（２４）を具備して形成され、前記内側ドア（３１）に形成された対応する溝付き座（２５）と協働係合できることを特徴とするプロフィル。
【請求項２】
前記突出部（２４）が、軟質エルボ型部品（８）の近くに配置される前記プロフィルの基部（３）のセクション（４）の端部に形成され、一方、反対側端部において、セクション（４）が、最初に下方に斜めに傾けられたセクション（２６）および最後に後部上方に方向付けられた縁部（２７）を具備して形成されることを特徴とする、請求項１に記載のプロフィル。
【請求項３】
前記基部（３）の前記セクション（７）が部分的に垂直におよび部分的に斜めに方向付けられることを特徴とする、請求項１に記載のプロフィル。
【請求項４】
軟質材料から製造された１対の密封帯（１５）が、前記エルボ型部品（８）から延在し、また前記プロフィルの機能位置において、前記プロフィル上にて密封材を形成するように前記ドアの方向に延在することを特徴とする、請求項１に記載のプロフィル。
【請求項５】
前記密封材が、前記１対の壁部の機能的に外側の壁部（５）の全長にわたって前記プロフィルに、および前記基部（３）の同様に外側の部分に重ね合わせられるように、前記プロフィルと共に共押出されることを特徴とする、請求項１に記載のプロフィル。
【請求項６】
前記エルボ型部品（８）が、前記プロフィルおよびその基部（３）上に外側に重ね合わせられる前記密封部によって一体に形成されることを特徴とする、請求項３に記載のプロフィル。
【請求項７】
軟質材料から製造された密封帯（２８）が、前記基部（３）の前記上方セクション（２）から前記内側ドア（３１）の方向に延在することを特徴とする、請求項１に記載のプロフィル。
【請求項８】
前記コーナで溶接される、先行する請求項に記載のプロフィルの部分によって形成されるフレーム。
【発明の詳細な説明】
【技術分野】
【０００１】
同一出願人の名義に係る欧州特許出願第９０５４６４号は、ドアと家具との間を密封するベローズ型密封部を有する、ドアと内側ドアとが設けられた冷蔵家具ユニット等のためのプラスチック製プロフィルを記述しており、このプロフィルおよび密封部は、共に接合されるか、あるいは、必要に応じて、プロフィルと密封部との接合ゾーンに沿ってプロフィルからの密封部の容易な分離を可能にするように、異なる剛性を有する２つの材料の共押出によって製造される単一部品として一体化され、前記プロフィルは、交換ベローズ型密封部を受容できる溝を有し、前記溝は、２つの水平な上方および下方セクションからなる略Ｃ字状の断面で形成された基部から垂直または斜めに延在する１対の壁部によって画定され、軟質材料から製造されかつ断面それ自体に共押出することによって形成されたエルボ型部品の結果として弾性変形可能であり、したがって、このエルボ型部品は、前記Ｃ字状断面それ自体の内側でスナップ係合によって前記内側ドアの縁部を受容するように、前記Ｃ字状断面の弾性的張り出しを可能にするようにヒンジとして機能する。
【背景技術】
【０００２】
取付けのため、共押出された密封材を有するプロフィルは、例えば同一出願人の名義に係る欧州特許第１４６，９９４号および第３１９，０８７号にも記述されているように、好ましくは、コーナで溶接され次に内側ドアおよびドアと共に組み立てられる長方形フレームの形態で用意される。
【０００３】
より詳しくは、欧州特許出願第９０５４６４号によれば、密封材を有するプロフィルは長方形フレームを形成するように溶接され、したがって、この長方形フレームは、概して、プロフィルの基部の垂直セクションによって画定された内側寸法よりも０．５〜３ｍｍ小さい周囲寸法を有する同一形状の内側ドアに装着することが可能である。この組立は、前記基部の延長部全体にわたって３〜５ｍｍの深さに押出する間に（あるいは切断準備ができた部分の端部に作用することによって）自動的に実行される前記基部の下方水平セクションの剪断によって可能となり、これによって、このセクションのコーナでの溶接を回避できる。
【０００４】
したがって、各セクションは溶接から除外され、このため、内側ドアの挿入を可能にするように９０°よりも大きな角度にわたって、ヒンジ点を用いて自由に張り出る。
【０００５】
上述のセクションの張り出し作業は、一般に、内側ドアの位置決めに十分な角度でフレームの４辺すべての下方セクションに作用することによって手動で実行される。この作業が実行されると、セクションは解放され、またヒンジによりセクションはスナップ係合されてセクションの初期位置に戻り、プロフィル基部のＣ字状断面内で内側ドアがロックされる。
【０００６】
次に、このように組み立てられたプロフィルおよび内側ドアはドア上に配置され、また組立品全体は、ドアと内側ドアとの間の空洞内に発泡体を導入することによって固定される。
【特許文献１】
欧州特許出願第９０５４６４号
【特許文献２】
欧州特許第１４６，９９４号
【特許文献３】
欧州特許第３１９，０８７号
【発明の開示】
【発明が解決しようとする課題】
【０００７】
本発明の目的によれば、上述の種類のプロフィルは、生産を著しく遅らせまたコストを明らかに増加させる手作業なしに、特に自動組立に適していることが望ましい。しかし、自動化システムの利用に関し留意しなければならないことは、プロフィルが内側ドアに挿入されたときに内側ドアと共に組立システムを形成するが、この組立システムは、プロフィルと内側ドアとの相互変位を引き起こすことなく、機械によって付与される突然の応力を含む取扱いに耐えることができなければならないことである。
【０００８】
本発明は、一方で、内側ドアの自動組立に、他方で、組立部分の自動処理に関連して生じる技術的問題の解決に特に適切である上述の種類のプロフィルに関し、この場合、前記部分の相互変位はいかに費用をかけようとも回避しなければならない。このことは、一旦組み立てられた場合、溶接フレームの形態の内側ドアおよびプロフィルが、適切な手段、例えば内側ドアに作用するサクション・パッドによって把持される時点、すなわち、組立ステーションからドア／内側ドア・システムを発泡体で充填するための型枠に移送される時点を特に指す。発泡作業、すなわちドアと内側ドアとの間の空洞をポリウレタン発泡体のような断熱材料で充填することは、修正の可能性なしに部分の不完全な位置決めを「静止させる(freeze)」ので、発泡型枠に移送する間のプロフィルおよび内側ドアの正確な固定は、１つのステーションから他のステーションへの移送を実行するシステムによって組立部分に与えられる可能性がある突然の移動の場合にも妨げられないように、上記のような欠陥を慎重に回避しなければならず、また急速で精密かつ安全な作業は、前記部分が相互変位なしに固定位置に留まることが保証される場合にのみ可能である。
【課題を解決するための手段】
【０００９】
本発明は、上述の技術的問題の解決に特に適切な上述の種類の改良されたプロフィルを提案する。改良されたプロフィルは、ドアと家具との間を密封するベローズ型密封部を有する、ドアと内側ドアとが設けられた冷蔵家具ユニット等のためのプラスチック製プロフィルであって、このプロフィルおよび密封部が、共に接合されるか、あるいは異なる剛性を有する２つの材料の共押出によって製造される単一部品として一体化され、前記プロフィルが、２つの水平な上方および下方セクションからなる略Ｃ字状の断面で形成された基部を有し、軟質材料から製造されかつ断面それ自体に共押出することによって形成されたエルボ型部品の結果として弾性変形可能であり、したがって、このエルボ型部品が、前記Ｃ字状断面それ自体の内側でスナップ係合によって前記内側ドアの縁部を受容するように、前記Ｃ字状断面の弾性的張り出しを可能にするためのヒンジとして機能し、また前記Ｃ字状断面の外側および真下で、プロフィルが前記ドアの縁部にて密封材を形成し、その際に、前記基部の前記下方セクションが、前記上方セクションに向かって方向付けられた突出部を具備して形成され、前記内側ドアに形成された対応する溝付き座と協働係合できる。
【発明の効果】
【００１０】
プロフィルの外側に共押出された軟質材料は、剛性材料と軟質材料との間の色差の可能性を回避し、またプロフィルの実質的な剛性構造体は、磁性挿入体の重量により、プロフィルそれ自体が部分的に水平側面にわたって曲がるのを防止する。
【発明を実施するための最良の形態】
【００１１】
本発明の特徴と利点をより良く理解し得るように、添付図面を参照して本実施態様の非限定的な実施例について記述する。
【００１２】
図１の図面を参照すると、ドア３０と内側ドア３１とが設けられた冷蔵家具ユニット用プラスチック製プロフィル１は、冷蔵庫のドアと家具３２との間を密封するベローズ型密封部２０を有する。
【００１３】
プロフィルおよび密封部は、共に接合されるか、あるいは、必要に応じて、プロフィルと密封部との接合ゾーンに沿ってプロフィルからの密封部の容易な分離を可能にするように、異なる剛性を有する２つの材料の共押出によって製造される単一部品として一体化される。剛性材料から製造されるこのプロフィルは、交換ベローズ型密封部を受容できる溝２３を中央において画定し、この溝２３は、全体的に３で示した基部から垂直および斜めに延在する１対の壁部５、５’によって画定される。本発明によれば、この基部３は、２つの水平セクション２と４、すなわち上方セクションと下方セクションそれぞれによって画定されるＣ字状断面と、内側で座(seat)１９が画定される略垂直のセクション７とによって本質的に形成される。前記垂直セクション７および前記下方水平セクション４は、軟質材料から製造されたエルボ型部品８によって共に接合され、またプロフィルの基部３を形成する剛性材料で断面それ自体に共押出することによって形成され、このエルボ型部品８は、セクション２と７に対する前記Ｃ字状断面、特に下方水平セクション４の弾性的張り出しを可能にするためのヒンジ点として機能する。
【００１４】
プロフィル１は、剛性プラスチック、例えば押出によって得られるＰＶＣから製造され、切断され、またドアが適用される冷蔵家具ユニットのドアの周辺を再現するフレーム形態のコーナに溶接される。既述したように、例えば軟質の可塑化ＰＶＣからなる密封材(seal)２０は、単一部品として共押出することによってプロフィル１と共に形成される。
【００１５】
密封材２０は、ベローズとして機能する伸張可能なチャンバ２１を画定する管状セクションを有し、前記ベローズから、１本の棒の磁性材料を受容できる座(seat)２２が延在する。密封材２０の６で示した内側部分は、共押出点１３でプロフィルの対応する壁部５’に溶接され、一方、１６で示した外側壁部は、プロフィルの対応する外壁５にかつ基部３の外側に沿って溶接で一体化される。
【００１６】
密封材の外側壁部１６の底部賦形部分（壁部の横方向安定性を保証するために異なる厚さまたは剛性を有する２つのゾーンで適切に変更し得る壁部）は、プロフィルを完全に覆い、上に規定した前記エルボ型部品８の底部に終端する。同様に軟質材料から製造される１対の密封帯１５と１７は、密封帯１７から横方向にプロフィルの外側に向かって延在し、前記帯は、部分が機能位置に組み立てられるときにこの材料の変形性の故に圧縮されるようにドア３０上に位置して、密封材を形成しかつプロフィル１の剛性部分がこの位置で完全に隠されることをさらに保証する。
【００１７】
特に、これらの密封帯は、部分の組立後に断熱特性をドアに付与するために端部に使用される発泡材料を収容するための密封材を構成する。帯１７はドアの形状に関わらずドアの金属板と共に密封材を形成するが、この理由は、帯が金属板に密封当接(sealing abutment)できるからである。
【００１８】
プロフィルの基部３の上方セクション２は、また、最終の機能位置で内側ドアにて密封材を形成しうる共押出による軟質材料の帯を有する。
【００１９】
本発明によれば、基部３の下方セクション４は、上方セクション２に向かって方向付けられた突出部２４の形態で形成され、また内側ドア３１の縁部領域において内側ドアに形成された整合形状部（特にＵ字状）を有する溝付き座２５と協働係合できる。このＵ字状溝付きで形成された内側ドアの縁部を受容できるようにするために、基部３のＣ字状断面の中間スペース１０は十分に広くなければならず、このため、略垂直のセクション７は少なくとも部分的に斜めに方向付けられる。
【００２０】
図面に示した実施例では、この突出部２４は、軟質エルボ型部品８の近くに配置されるプロフィルの剛性基部のセクション４の端部に形成され、一方、反対側端部では、セクション４は、下方に斜めに傾けられたセクション２６を、最後に、後部上方に方向付けられた縁部２７を具備して形成される。
【００２１】
取付けのため、好ましくは、共押出された密封材２０を有するプロフィル１は、コーナで溶接される長方形フレームの形態で用意され、したがって、概して、基部３の垂直セクション７によって画定された内側寸法よりも０．５〜３ｍｍ小さい周囲寸法を有する同一形状の内側ドアに装着し得る。この組立は、基部の延長部全体にわたって３〜５ｍｍの深さに押出する間に（あるいは切断準備ができた部分の端部に作用することによって）自動的に実行される、水平セクション４の剪断によって可能となり、これによって、このセクションのコーナでの溶接を回避できる。
【００２２】
したがって、各セクション４は溶接から除外され、したがって、図２に示したように、内側ドア３１の挿入を可能にするように９０°よりも大きな角度にわたって、ヒンジ点８を用いて、自由にかつ容易に下方に張り出すことができる。プロフィルの他の部分との溶接ゾーン（図面に図示）に沿ったプロフィルは、１０に沿って事前に切断されたセクション４を除いて、任意の点における溶接に適している。好ましくは、内側ドア３１の縁部には、弾性的な方法で予め圧力を加えることができる。
【００２３】
同一出願人によって同時に提出された特許出願には、上述の組立作業を自動的に実行できる方法および装置が記述されている。
【００２４】
セクションの張り出し作業は、自動システム（例えば、同一出願人の名義で上述の同時特許出願に記述されているようなシステム）付きの機械を用いて実行され、この自動システムにより、図２に概略的に示したように、内側ドアの位置決めに十分な角度でフレームの４辺すべての下方セクション４が張り出される。斜め方向部２６および端部２７におけるセクション４の上述の賦形は、自動装置の上記目的に予想される手段によって前記張り出し可能なセクションの係合を容易にする。この作業が実行されると、セクション４は解放され、ヒンジ８はスナップ係合によってセクションを図１に示した位置に戻り、プロフィル基部のセクション４とセクション２との間に内側ドアをロックする。セクションの弾性復帰運動中、セクション４の突出部２４はスナップ係合によって内側ドア縁部の溝付き座２５内に挿入される。したがって、突出部２４および溝付き座２５は、プロフィルおよび内側ドアを組み立てるための相互位置決めの際に芯出しシステム(centering system)を最初に構成する。
【００２５】
図１の実線で示したこの位置において、プロフィルの下方セクション４は、内側ドア３１の予め圧力を加えた縁部に対して弾性的に作用する。プロフィルの突出部２４と、内側ドアに形成された対応する溝付き座２５との間の係合は、機械によって加えられる可能性がある突然の応力の場合でさえも相互変位のリスクなしに、安定した接続を保証するように、内側ドアの周辺全体に沿ったプロフィル部分の固定も保証する。
【００２６】
次に、このように組み立てられたプロフィル１および内側ドア３１はドア３０に配置され（例えばロボット・システムにより）、また組立部品は、ドアと内側ドアとの間の空洞を発泡体で充填することによって固定される。この最終の機能位置では、プロフィルは密封帯１５と１７の領域のドア３０の縁部にて、したがって前記Ｃ字状断面に対して真下および外側にて密封材を形成する。
【００２７】
プロフィルは、そのものが内側ドア上に挿入されるときに、内側ドアと共に、安全に運搬可能な単一組立品を形成し、分離を引き起こすことなく、溝付き座２５と突出部２４との間の干渉の結果、突然の移動にも耐えることができる。
【００２８】
本発明のさらなる利点は、突出部２４と座２５との間の結合領域におけるプロフィルと内側ドアとの間の干渉により、追加の密閉作用が可能になり、発泡体の充填中に発泡体がドアの外側へ出て行くことを防止することである。
【００２９】
さらに、プロフィルの壁部５と５’は、発泡体の充填操作中に、必要に応じて、交換密封材の係合を可能にし、プロフィルの圧縮を制限し、したがって、軟質壁部の非常に小さな変形度の達成を可能にする。
【図面の簡単な説明】
【００３０】
【図１】機能位置の、本発明によるプロフィルの断面図である。
【図２】内側ドアの組立時の、本発明によるプロフィル部分の斜視図である。
【符号の説明】
【００３１】
１    プロフィル
２    上方セクション
３    基部
４    下方セクション
５    壁部
７    セクション
８    エルボ型部品
１５    密封帯
１７    密封帯
１９    座
２０    密封材
２１    チャンバ
２２    座
２３    溝
２４    突出部
２５    座
２７    縁部
３０    ドア
３１    内側ドア
【国際公開パンフレット】
2004538433.tif 000003
2004538433.tif 000004
2004538433.tif 000005
2004538433.tif 000006
2004538433.tif 000007
2004538433.tif 000008
2004538433.tif 000009
2004538433.tif 000010
2004538433.tif 000011
2004538433.tif 000012
2004538433.tif 000013
2004538433.tif 000014
2004538433.tif 000015
2004538433.tif 000016
2004538433.tif 000017
【手続補正書】
【提出日】平成15年4月4日(2003.4.4)
【手続補正１】
【補正対象書類名】特許請求の範囲
【補正対象項目名】全文
【補正方法】変更
【補正の内容】
【特許請求の範囲】
【請求項１】
ドア（３０）と内側ドア（３１）とが設けられた冷蔵家具ユニット等のためのガスケット（１）であって、該ガスケットは、実質的に軟質のプラスチックから製造されかつドア（３０）と家具（３２）との間を密封するベローズ型密封部（２０）を有する、実質的に剛性のプラスチックから製造されたプロフィルから構成され、前記プロフィルおよび密封部が、共に接合されるか、あるいは異なる剛性を有する２つの材料の共押出によって製造される単一部品として一体化され、前記プロフィルが、２つの略水平のセクション、１つの上方セクション（２）と１つの下方セクション（４）とによってかつ略垂直または斜めのセクション（７）によって画定された略Ｃ字状の断面で形成された基部（３）を含み、前記セクションが、軟質材料から製造されかつ断面それ自体に共押出することによって形成されたエルボ型部品（８）の結果として弾性変形可能であり、したがって、前記エルボ型部品が、前記Ｃ字状断面それ自体の内側（１９）でスナップ係合によって前記内側ドア（３１）の縁部を受容するように、前記Ｃ字状断面の前記セクション（４）の弾性的張り出しを可能にするためのヒンジとして機能し、また前記Ｃ字状断面の外側および真下で、前記ドア（３０）の縁部にて密封材を形成するガスケットにおいて、前記基部（３）の前記下方セクション（４）が、前記上方セクション（２）に向かって方向付けられた突出部（２４）を具備して形成され、前記内側ドア（３１）に形成された対応する溝付き座（２５）と協働係合できることを特徴とするプロフィル。
【請求項２】
前記突出部（２４）が、軟質エルボ型部品（８）の近くに配置される前記ガスケットの基部（３）のセクション（４）の端部に形成され、一方、反対側端部において、セクション（４）が、最初に下方に斜めに傾けられたセクション（２６）および最後に後部上方に方向付けられた縁部（２７）を具備して形成されることを特徴とする、請求項１に記載のガスケット。
【請求項３】
前記基部（３）の前記セクション（７）が部分的に垂直におよび部分的に斜めに方向付けられることを特徴とする、請求項１に記載のガスケット。
【請求項４】
軟質材料から製造された１対の密封帯（１５）が、前記エルボ型部品（８）から延在し、また前記プロフィルの機能位置において、前記プロフィル上にて密封材を形成するように前記ドアの方向に延在することを特徴とする、請求項１に記載のガスケット。
【請求項５】
前記密封部（２０）が、前記１対の壁部の外側の壁部（５）の全長にわたって前記プロフィルに、および操作位置において前記基部（３）の同様に外側の部分に重ね合わせられるように、前記プロフィルと共に共押出されることを特徴とする、請求項１に記載のガスケット。
【請求項６】
前記エルボ型部品（８）が、前記プロフィルおよびその基部（３）上に外側に重ね合わせられる前記密封部（２０）によって一体に形成されることを特徴とする、請求項３に記載のガスケット。
【請求項７】
軟質材料から製造された密封帯（２８）が、前記基部（３）の前記上方セクション（２）から前記内側ドア（３１）の方向に延在することを特徴とする、請求項１に記載のガスケット。
【請求項８】
前記コーナで溶接される、先行する請求項に記載のガスケットの部分によって形成されるフレーム。
【請求項９】
内側ドア（３１）と先行するいずれかの請求項に記載されたガスケット（１）を具備してなる冷蔵庫用ドア。
【手続補正２】
【補正対象書類名】明細書
【補正対象項目名】全文
【補正方法】変更
【補正の内容】
【発明の詳細な説明】
【技術分野】
【０００１】
同一出願人の名義に係る欧州特許出願第９０５４６４号は、ドアと家具との間を密封するベローズ型密封部を有する、ドアと内側ドアとが設けられた冷蔵家具ユニット等のためのプラスチック製ガスケットを記述しており、このプロフィルおよび密封部は、共に接合されるか、あるいは、必要に応じて、プロフィルと密封部との接合ゾーンに沿ってプロフィルからの密封部の容易な分離を可能にするように、異なる剛性を有する２つの材料の共押出によって製造される単一部品として一体化され、前記プロフィルは、交換ベローズ型密封部を受容できる溝を有し、前記溝は、２つの水平な上方および下方セクションからなる略Ｃ字状の断面で形成された基部から垂直または斜めに延在する１対の壁部によって画定され、軟質材料から製造されかつ断面それ自体に共押出することによって形成されたエルボ型部品の結果として弾性変形可能であり、したがって、このエルボ型部品は、前記Ｃ字状断面それ自体の内側でスナップ係合によって前記内側ドアの縁部を受容するように、前記Ｃ字状断面の弾性的張り出しを可能にするようにヒンジとして機能する。
【背景技術】
【０００２】
取付けのため、共押出された密封材を有するプロフィルは、例えば同一出願人の名義に係る欧州特許第１４６，９９４号および第３１９，０８７号にも記述されているように、好ましくは、コーナで溶接され次に内側ドアおよびドアと共に組み立てられる長方形フレームの形態で用意される。
【０００３】
より詳しくは、欧州特許出願第９０５４６４号によれば、密封材を有するプロフィルは長方形フレームを形成するように溶接され、したがって、この長方形フレームは、概して、プロフィルの基部の垂直セクションによって画定された内側寸法よりも０．５〜３ｍｍ小さい周囲寸法を有する同一形状の内側ドアに装着することが可能である。この組立は、前記基部の延長部全体にわたって３〜５ｍｍの深さに押出する間に（あるいは切断準備ができた部分の端部に作用することによって）自動的に実行される前記基部の下方水平セクションの剪断によって可能となり、これによって、このセクションのコーナでの溶接を回避できる。
【０００４】
したがって、各セクションは溶接から除外され、このため、内側ドアの挿入を可能にするように９０°よりも大きな角度にわたって、ヒンジ点を用いて自由に張り出る。
【０００５】
上述のセクションの張り出し作業は、一般に、内側ドアの位置決めに十分な角度でフレームの４辺すべての下方セクションに作用することによって手動で実行される。この作業が実行されると、セクションは解放され、またヒンジによりセクションはスナップ係合されてセクションの初期位置に戻り、プロフィル基部のＣ字状断面内で内側ドアがロックされる。
【０００６】
次に、このように組み立てられたプロフィルおよび内側ドアはドア上に配置され、また組立品全体は、ドアと内側ドアとの間の空洞内に発泡体を導入することによって固定される。
ＥＰ−Ａ−０  １５２  ９８９号およびＤＥ  ３  ０２２  ３８１号には、冷蔵庫用ドアの周辺をひとまわりして伸びる密封材が記述されている。その密封材は、弾性的可撓性密封部(resiliently flexible sealing portion)およびより堅い材料からできている縁(lip)から構成されている。
【特許文献１】
欧州特許出願第９０５４６４号
【特許文献２】
欧州特許第１４６，９９４号
【特許文献３】
欧州特許第３１９，０８７号
【発明の開示】
【発明が解決しようとする課題】
【０００７】
本発明の目的によれば、上述の種類のプロフィルは、生産を著しく遅らせまたコストを明らかに増加させる手作業なしに、特に自動組立に適していることが望ましい。しかし、自動化システムの利用に関し留意しなければならないことは、プロフィルが内側ドアに挿入されたときに内側ドアと共に組立システムを形成するが、この組立システムは、プロフィルと内側ドアとの相互変位を引き起こすことなく、機械によって付与される突然の応力を含む取扱いに耐えることができなければならないことである。
【０００８】
本発明は、一方で、内側ドアの自動組立に、他方で、組立部分の自動処理に関連して生じる技術的問題の解決に特に適切である上述の種類のガスケットに関し、この場合、前記部分の相互変位はいかに費用をかけようとも回避しなければならない。このことは、一旦組み立てられた場合、溶接フレームの形態の内側ドアおよびガスケットが、適切な手段、例えば内側ドアに作用するサクション・パッドによって把持される時点、すなわち、組立ステーションからドア／内側ドア・システムを発泡体で充填するための型枠に移送される時点を特に指す。発泡作業、すなわちドアと内側ドアとの間の空洞をポリウレタン発泡体のような断熱材料で充填することは、修正の可能性なしに部分の不完全な位置決めを「静止させる(freeze)」ので、発泡型枠に移送する間のガスケットおよび内側ドアの正確な固定は、１つのステーションから他のステーションへの移送を実行するシステムによって組立部分に与えられる可能性がある突然の移動の場合にも妨げられないように、上記のような欠陥を慎重に回避しなければならず、また急速で精密かつ安全な作業は、前記部分が相互変位なしに固定位置に留まることが保証される場合にのみ可能である。
【課題を解決するための手段】
【０００９】
本発明は、上述の技術的問題の解決に特に適切な上述の種類の改良されたガスケットを提案する。改良されたプロフィルは、ドアと家具との間を密封するベローズ型密封部を有する、ドアと内側ドアとが設けられた冷蔵家具ユニット等のためのプラスチック製プロフィルであって、このプロフィルおよび密封部が、共に接合されるか、あるいは異なる剛性を有する２つの材料の共押出によって製造される単一部品として一体化され、前記プロフィルが、２つの水平な上方および下方セクションからなる略Ｃ字状の断面で形成された基部を有し、軟質材料から製造されかつ断面それ自体に共押出することによって形成されたエルボ型部品の結果として弾性変形可能であり、したがって、このエルボ型部品が、前記Ｃ字状断面それ自体の内側でスナップ係合によって前記内側ドアの縁部を受容するように、前記Ｃ字状断面の弾性的張り出しを可能にするためのヒンジとして機能し、また前記Ｃ字状断面の外側および真下で、プロフィルが前記ドアの縁部にて密封材を形成し、その際に、前記基部の前記下方セクションが、前記上方セクションに向かって方向付けられた突出部を具備して形成され、前記内側ドアに形成された対応する溝付き座と協働係合できる。
【発明の効果】
【００１０】
プロフィルの外側に共押出された軟質材料は、剛性材料と軟質材料との間の色差の可能性を回避し、またプロフィルの実質的な剛性構造体は、磁性挿入体の重量により、プロフィルそれ自体が部分的に水平側面にわたって曲がるのを防止する。
【発明を実施するための最良の形態】
【００１１】
本発明の特徴と利点をより良く理解し得るように、添付図面を参照して本実施態様の非限定的な実施例について記述する。
【００１２】
図１の図面を参照すると、ドア３０と内側ドア３１とが設けられた冷蔵家具ユニット用プラスチック製ガスケット１は、実質的に剛性のプラスチックからできており、かつ、より肉太のハッチングで示されるプロフィル、およびベローズ型密封部２０から構成されている。その密封部はドアと該冷蔵家具３２との間を密封する。
【００１３】
プロフィルおよび密封部は、共に接合されるか、あるいは、必要に応じて、プロフィルと密封部との接合ゾーンに沿ってプロフィルからの密封部の容易な分離を可能にするように、異なる剛性を有する２つの材料の共押出によって製造される単一部品として一体化される。剛性材料から製造されるこのプロフィルは、交換ベローズ型密封部を受容できる溝２３を中央において画定し、この溝２３は、全体的に３で示した基部から垂直および斜めに延在する１対の壁部５、５’によって画定される。本発明によれば、この基部３は、２つの水平セクション２と４、すなわち上方セクションと下方セクションそれぞれによって画定されるＣ字状断面と、内側で座(seat)１９が画定される略垂直のセクション７とによって本質的に形成される。前記垂直セクション７および前記下方水平セクション４は、軟質材料から製造されたエルボ型部品８によって共に接合され、またプロフィルの基部３を形成する剛性材料で断面それ自体に共押出することによって形成され、このエルボ型部品８は、セクション２と７に対する前記Ｃ字状断面、特に下方水平セクション４の弾性的張り出しを可能にするためのヒンジ点として機能する。
【００１４】
そのガスケットのプロフィル１は、剛性プラスチック、例えば押出によって得られるＰＶＣから製造され、切断され、またドアが適用される冷蔵家具ユニットのドアの周辺を再現するフレーム形態のコーナに溶接される。既述したように、例えば軟質の可塑化ＰＶＣからなる密封材(seal)２０は、単一部品として共押出することによってプロフィル１と共に形成される。
【００１５】
密封材２０は、ベローズとして機能する伸張可能なチャンバ２１を画定する管状セクションを有し、前記ベローズから、１本の棒の磁性材料を受容できる座(seat)２２が延在する。密封材２０の６で示した内側部分は、共押出点１３でプロフィルの対応する壁部５’に溶接され、一方、１６で示した外側壁部は、プロフィルの対応する外壁５にかつ基部３の外側に沿って溶接で一体化される。
【００１６】
密封材の外側壁部１６の底部賦形部分（壁部の横方向安定性を保証するために異なる厚さまたは剛性を有する２つのゾーンで適切に変更し得る壁部）は、プロフィルを完全に覆い、上に規定した前記エルボ型部品８の底部に終端する。同様に軟質材料から製造される１対の密封帯１５と１７は、密封帯１７から横方向にプロフィルの外側に向かって延在し、前記帯は、部分が機能位置に組み立てられるときにこの材料の変形性の故に圧縮されるようにドア３０上に位置して、密封材を形成しかつガスケット１の剛性部分がこの位置で完全に隠されることをさらに保証する。
【００１７】
特に、これらの密封帯は、部分の組立後に断熱特性をドアに付与するために端部に使用される発泡材料を収容するための密封材を構成する。帯１７はドアの形状に関わらずドアの金属板と共に密封材を形成するが、この理由は、帯が金属板に密封当接(sealing abutment)できるからである。
【００１８】
プロフィルの基部３の上方セクション２は、また、最終の機能位置で内側ドアにて密封材を形成しうる共押出による軟質材料の帯を有する。
【００１９】
本発明によれば、基部３の下方セクション４は、上方セクション２に向かって方向付けられた突出部２４の形態で形成され、また内側ドア３１の縁部領域において内側ドアに形成された整合形状部（特にＵ字状）を有する溝付き座２５と協働係合できる。このＵ字状溝付きで形成された内側ドアの縁部を受容できるようにするために、基部３のＣ字状断面の中間スペース１０は十分に広くなければならず、このため、略垂直のセクション７は少なくとも部分的に斜めに方向付けられる。
【００２０】
図面に示した実施例では、この突出部２４は、軟質エルボ型部品８の近くに配置されるプロフィルの剛性基部のセクション４の端部に形成され、一方、反対側端部では、セクション４は、下方に斜めに傾けられたセクション２６を、最後に、後部上方に方向付けられた縁部２７を具備して形成される。
【００２１】
取付けのため、好ましくは、共押出された密封材２０を有するガスケット１は、コーナで溶接される長方形フレームの形態で用意され、したがって、概して、基部３の垂直セクション７によって画定された内側寸法よりも０．５〜３ｍｍ小さい周囲寸法を有する同一形状の内側ドアに装着し得る。この組立は、基部の延長部全体にわたって３〜５ｍｍの深さに押出する間に（あるいは切断準備ができた部分の端部に作用することによって）自動的に実行される、水平セクション４の剪断によって可能となり、これによって、このセクションのコーナでの溶接を回避できる。
【００２２】
したがって、各セクション４は溶接から除外され、したがって、図２に示したように、内側ドア３１の挿入を可能にするように９０°よりも大きな角度にわたって、ヒンジ点８を用いて、自由にかつ容易に下方に張り出すことができる。プロフィルの他の部分との溶接ゾーン（図面に図示）に沿ったプロフィルは、１０に沿って事前に切断されたセクション４を除いて、任意の点における溶接に適している。好ましくは、内側ドア３１の縁部には、弾性的な方法で予め圧力を加えることができる。
【００２３】
同一出願人によって同時に提出された特許出願には、上述の組立作業を自動的に実行できる方法および装置が記述されている。
【００２４】
セクションの張り出し作業は、自動システム（例えば、同一出願人の名義で上述の同時特許出願に記述されているようなシステム）付きの機械を用いて実行され、この自動システムにより、図２に概略的に示したように、内側ドアの位置決めに十分な角度でフレームの４辺すべての下方セクション４が張り出される。斜め方向部２６および端部２７におけるセクション４の上述の賦形は、自動装置の上記目的に予想される手段によって前記張り出し可能なセクションの係合を容易にする。この作業が実行されると、セクション４は解放され、ヒンジ８はスナップ係合によってセクションを図１に示した位置に戻り、プロフィル基部のセクション４とセクション２との間に内側ドアをロックする。セクションの弾性復帰運動中、セクション４の突出部２４はスナップ係合によって内側ドア縁部の溝付き座２５内に挿入される。したがって、突出部２４および溝付き座２５は、プロフィルおよび内側ドアを組み立てるための相互位置決めの際に芯出しシステム(centering system)を最初に構成する。
【００２５】
図１の実線で示したこの位置において、プロフィルの下方セクション４は、内側ドア３１の予め圧力を加えた縁部に対して弾性的に作用する。プロフィルの突出部２４と、内側ドアに形成された対応する溝付き座２５との間の係合は、機械によって加えられる可能性がある突然の応力の場合でさえも相互変位のリスクなしに、安定した接続を保証するように、内側ドアの周辺全体に沿ったプロフィル部分の固定も保証する。
【００２６】
次に、このように組み立てられたガスケット１および内側ドア３１はドア３０に配置され（例えばロボット・システムにより）、また組立部品は、ドアと内側ドアとの間の空洞を発泡体で充填することによって固定される。この最終の機能位置では、プロフィルは密封帯１５と１７の領域のドア３０の縁部にて、したがって前記Ｃ字状断面に対して真下および外側にて密封材を形成する。
【００２７】
プロフィルは、そのものが内側ドア上に挿入されるときに、内側ドアと共に、安全に運搬可能な単一組立品を形成し、分離を引き起こすことなく、溝付き座２５と突出部２４との間の干渉の結果、突然の移動にも耐えることができる。
【００２８】
本発明のさらなる利点は、突出部２４と座２５との間の結合領域におけるプロフィルと内側ドアとの間の干渉により、追加の密閉作用が可能になり、発泡体の充填中に発泡体がドアの外側へ出て行くことを防止することである。
【００２９】
さらに、プロフィルの壁部５と５’は、発泡体の充填操作中に、必要に応じて、交換密封材の係合を可能にし、プロフィルの圧縮を制限し、したがって、軟質壁部の非常に小さな変形度の達成を可能にする。
【図面の簡単な説明】
【００３０】
【図１】機能位置の、本発明によるガスケットの断面図である。
【図２】内側ドアの組立時の、本発明によるガスケット部分の斜視図である。
【符号の説明】
【００３１】
１    ガスケット
２    上方セクション
３    基部
４    下方セクション
５    壁部
７    セクション
８    エルボ型部品
１５    密封帯
１７    密封帯
１９    座
２０    密封材
２１    チャンバ
２２    座
２３    溝
２４    突出部
２５    座
２７    縁部
３０    ドア
３１    内側ドア




【国際調査報告】
2004538433.tif 000018
2004538433.tif 000019
2004538433.tif 000020